(57)【要約】【課題】ペレットストーブにおいて、ペレットカゴの燃焼室への出し入れを不要とし、そのまま薪をくべて薪ストーブとして使用することができるペレットストーブを提供する。【解決手段】燃焼室１内に燃料となる木質ペレット２を収納し燃焼させるペレット燃焼部３が設けられているペレットストーブにおいて、前記ペレット燃焼部３は、前記木質ペレット２が収納される網状部材若しくは多孔板で形成されるペレット収納部４内が仕切り部５により複数に区画されている構成とされるとともに、前記ペレット収納部４が前記燃焼室１の底板部６の下側に落とし込み配設されて、該ペレット収納部４の上部開口部７が前記底板部６と略面一状態となるように前記燃焼室１内に設けられる構成とされているペレットストーブ。【選択図】図４
2018076980.tif 000002
【特許請求の範囲】
【請求項１】
燃焼室内に燃料となる木質ペレットを収納し燃焼させるペレット燃焼部が設けられているペレットストーブにおいて、前記ペレット燃焼部は、前記木質ペレットが収納される網状部材若しくは多孔板で形成されるペレット収納部内が仕切り部により複数に区画されている構成とされるとともに、前記ペレット収納部が前記燃焼室の底板部の下側に落とし込み配設されて、該ペレット収納部の上部開口部が前記底板部と略面一状態となるように前記燃焼室内に設けられる構成とされていることを特徴とするペレットストーブ。
【請求項２】
前記燃焼室の下側に前記ペレット燃焼部へ空気を送り込む空気供給部が設けられており、前記ペレット燃焼部は、前記ペレット収納部が前記底板部の下側に落とし込み配設されて、該ペレット収納部の上部開口部が前記底板部と略面一状態で前記空気供給部内に設けられる構成とされていることを特徴とする請求項１記載のペレットストーブ。
【請求項３】
前記燃焼室は、前記底板部に前記ペレット収納部が落ち込み可能な開口部が形成されている構成とされ、前記ペレット燃焼部は、前記ペレット収納部の上部開口部の周縁に前記開口部の周縁部に係止する係止部が設けられた構成とされて、前記ペレット燃焼部の前記ペレット収納部を前記開口部に落とし込み配設すると、前記係止部が前記周縁部に係止して、前記ペレット収納部が前記底板部に対して垂下状態に設けられて、該ペレット収納部の前記上部開口部が前記底板部と略面一状態となるように構成されていることを特徴とする請求項１，２のいずれか１項に記載のペレットストーブ。
【請求項４】
前記仕切り部は、網状部材若しくは多孔板からなる第一仕切り板部及び第二仕切り板部、並びにこの第一仕切り板部と第二仕切り板部との間に形成される空間部からなる構成とされ、前記ペレット燃焼部は、前記ペレット収納部内に前記仕切り部が交差状に配設されている構成とされ、この仕切り部により区画形成された前記ペレット収納部内の各区画ペレット収納部は、全周方向から空気が流入可能な構成とされていることを特徴とする請求項１〜３のいずれか１項に記載のペレットストーブ。
【請求項５】
前記ペレット燃焼部は、前記ペレット収納部の下方側が前記仕切り部で仕切られていない構成とされていることを特徴とする請求項１〜４のいずれか１項に記載のペレットストーブ。
【請求項６】
前記燃焼室内の前記ペレット燃焼部の上方に、前記ペレット燃焼部で生成される火炎又は燃焼熱の該燃焼室外部への排出を抑制して暖房効率を向上させるための邪魔板が設けられており、この邪魔板は、前記燃焼室内に設けられた邪魔板支持部に着脱交換自在に係止する構成とされることを特徴とする請求項１〜５のいずれか１項に記載のペレットストーブ。
【発明の詳細な説明】
【技術分野】
【０００１】
本発明は、ペレットストーブに関するものである。
【背景技術】
【０００２】
薪や木質ペレットなどの非化石燃料は、燃焼時に二酸化炭素を発生するものの、その発生量が炭素循環枠の範囲内であることから、燃焼時に二酸化炭素を排出しない燃料に属するものとされ、この非化石燃料を燃料として用いる薪ストーブやペレットストーブが地球温暖化防止を目的とするエコ暖房として普及してきている。
【０００３】
ペレットストーブは、薪ストーブほど暖房性能は高くないが、燃料である木質ペレットは、薪に比べて安価であるうえに、入手も取り扱いも保管も容易であり、あまり手間をかけずに手軽に自然の炎とその暖かさを楽しみたい人には好適であることから、近年は、薪ストーブよりもペレットストーブを購入する人が増えてきている。
【０００４】
しかしながら、薪ストーブは、ペレットストーブよりも高い暖房性能を有し、更に、迫力ある炎やぱちぱちと爆ぜる薪の音を五感で感じることができたり、薪をくべる作業を楽しむことができたりするなど、ペレットストーブにはないメリットを多く有するので、これらの購入を検討している人たちの中には、どちらを購入すべきか迷う人が多い。
【０００５】
本出願人は、このような現状に鑑み、薪ストーブをペレットストーブにすることができるペレット燃焼バスケットなる製品を提供しており、木質ペレットを収納したこのペレット燃焼バスケットを、薪の代わりに薪を載置する台上（燃焼室の底板上）に設置するだけで、薪ストーブをペレットストーブにすることができるものである。
【発明の概要】
【発明が解決しようとする課題】
【０００６】
しかしながら、このペレット燃焼バスケットを用いて薪ストーブをペレットストーブとして使用する場合、燃焼室内にペレット燃焼バスケットを入れたままでは、薪を入れるスペースが確保できないため、ペレットストーブとして使用する場合だけ燃焼室内に配置し、ペレットストーブから薪ストーブに戻す際にこのペレット燃焼バスケットを燃焼室から一々取り出さなければならず、重いうえに灰や煤で汚れているこのペレット燃焼バスケットの取り出し作業は厄介な作業であり、更にこのペレット燃焼バスケットの保管場所を確保することも厄介なことであった。
【０００７】
また、前述したように、近年はペレットストーブの購入者が増えてきており、ペレットストーブにおいても、仕様形態によっては上述したペレット燃焼バスケットを用い薪ストーブと同様、ペレット燃焼部（ペレットカゴ）を取り出し、ペレット燃焼部の設置位置に薪を置いて薪ストーブとして使用することができるが、やはり、上述した取り出し作業や取り出したペレット燃焼部の置き場（保管場所）の問題が同様に生じる。
【０００８】
本発明は、このような現状に鑑みなされたもので、ペレットストーブにおいて、ペレットカゴの燃焼室への出し入れを不要とし、そのまま薪をくべて薪ストーブとして使用することができる画期的なペレットストーブを提供することを目的とする。
【課題を解決するための手段】
【０００９】
添付図面を参照して本発明の要旨を説明する。
【００１０】
燃焼室１内に燃料となる木質ペレット２を収納し燃焼させるペレット燃焼部３が設けられているペレットストーブにおいて、前記ペレット燃焼部３は、前記木質ペレット２が収納される網状部材若しくは多孔板で形成されるペレット収納部４内が仕切り部５により複数に区画されている構成とされるとともに、前記ペレット収納部４が前記燃焼室１の底板部６の下側に落とし込み配設されて、該ペレット収納部４の上部開口部７が前記底板部６と略面一状態となるように前記燃焼室１内に設けられる構成とされていることを特徴とするペレットストーブに係るものである。
【００１１】
また、前記燃焼室１の下側に前記ペレット燃焼部３へ空気を送り込む空気供給部８が設けられており、前記ペレット燃焼部３は、前記ペレット収納部４が前記底板部６の下側に落とし込み配設されて、該ペレット収納部４の上部開口部７が前記底板部６と略面一状態で前記空気供給部８内に設けられる構成とされていることを特徴とする請求項１記載のペレットストーブに係るものである。
【００１２】
また、前記燃焼室１は、前記底板部６に前記ペレット収納部４が落ち込み可能な開口部９が形成されている構成とされ、前記ペレット燃焼部３は、前記ペレット収納部４の上部開口部７の周縁に前記開口部９の周縁部９Ａに係止する係止部10が設けられた構成とされて、前記ペレット燃焼部３の前記ペレット収納部４を前記開口部９に落とし込み配設すると、前記係止部10が前記周縁部９Ａに係止して、前記ペレット収納部４が前記底板部６に対して垂下状態に設けられて、該ペレット収納部４の前記上部開口部７が前記底板部６と略面一状態となるように構成されていることを特徴とする請求項１，２のいずれか１項に記載のペレットストーブに係るものである。
【００１３】
また、前記仕切り部５は、網状部材若しくは多孔板からなる第一仕切り板部11及び第二仕切り板部12、並びにこの第一仕切り板部11と第二仕切り板部12との間に形成される空間部13からなる構成とされ、前記ペレット燃焼部３は、前記ペレット収納部４内に前記仕切り部５が交差状に配設されている構成とされ、この仕切り部５により区画形成された前記ペレット収納部４内の各区画ペレット収納部４Ａは、全周方向から空気が流入可能な構成とされていることを特徴とする請求項１〜３のいずれか１項に記載のペレットストーブに係るものである。
【００１４】
また、前記ペレット燃焼部３は、前記ペレット収納部４の下方側が前記仕切り部５で仕切られていない構成とされていることを特徴とする請求項１〜４のいずれか１項に記載のペレットストーブに係るものである。
【００１５】
また、前記燃焼室１内の前記ペレット燃焼部３の上方に、前記ペレット燃焼部３で生成される火炎又は燃焼熱の該燃焼室１外部への排出を抑制して暖房効率を向上させるための邪魔板14が設けられており、この邪魔板14は、前記燃焼室１内に設けられた邪魔板支持部15に着脱交換自在に係止する構成とされることを特徴とする請求項１〜５のいずれか１項に記載のペレットストーブに係るものである。
【発明の効果】
【００１６】
本発明は上述のように構成したから、ペレット燃焼部を燃焼室から取り出さなくても燃焼室内に薪をくべて薪ストーブとして使用することができ、ペレットストーブの場合に比べて暖房性能を向上させることができ、更に薪ストーブ特有の効果、即ち、薪がぱちぱちと爆ぜる音を聞きながら迫力ある炎を眺めることができる薪ストーブならではの癒しの効果をペレットストーブでも楽しむことができるようになる。
【図面の簡単な説明】
【００１７】
【図１】本実施例を示す斜視図である。
【図２】本実施例を示す説明正断面図である。
【図３】本実施例を示す説明側断面図である。
【図４】本実施例の燃焼室内を示す説明斜視図である。
【図５】本実施例の邪魔板及び邪魔板支持部を示す説明分解斜視図である。
【図６】本実施例の燃焼室の底板部とこの底板部に配置されるペレット燃焼部を示す説明分解斜視図である。
【図７】本実施例のペレット燃焼部を示す斜視図である。
【図８】本実施例のペレット燃焼部の一部分解斜視図である。
【図９】本実施例のペレット燃焼部の正断面図である。
【図１０】本実施例のペレット燃焼部の側断面図である。
【図１１】本実施例のペレット燃焼部に木質ペレットを投入した状態を示す説明斜視図である。
【図１２】図１１のＡ−Ａ断面図である。
【図１３】本実施例をペレットストーブとして使用している場合の使用状態説明図である。
【図１４】本実施例を薪ストーブとして使用している場合の使用状態説明図である。
【発明を実施するための形態】
【００１８】
好適と考える本発明の実施形態を、図面に基づいて本発明の作用を示して簡単に説明する。
【００１９】
本発明は、ペレット燃焼部３を燃焼室１内にセットした際、ペレット燃焼部３のペレット収納部４が燃焼室１の底板部６の下側に落ち込んだ状態になり、ペレット燃焼部３（ペレット収納部４）の上部開口部７が底板部６と略面一状態になるので、燃焼室１にペレット燃焼部３をセットしても、燃焼室１に広いスペースが確保でき、これにより、ペレット燃焼部３を燃焼室１から取り出さなくてもこの燃焼室１内に薪16を入れてペレットストーブを薪ストーブとして使用することができる。
【００２０】
また、本発明は、薪ストーブとして使用する場合は、底板部６と略面一のペレット燃焼部３（ペレット収納部４）の上部開口部７上に薪16が載置されることとなるが、本発明は、ペレット収納部４内に、このペレット収納部４を区画する仕切り部５が設けられており、この仕切り部５の上縁部が上部開口部７上に載置された薪16を支持することとなるので、燃焼が進んでも薪16が上部開口部７から下方のペレット収納部４内に落ちにくく、長時間安定して燃焼することができる。
【００２１】
しかも、上部開口部７上に載置した薪16の下方側にはペレット収納部４が設けられているので、薪16の下側に空間部が形成され、ここから十分な空気が供給されることとなり、効率的に薪16を燃焼させることができ、更に、このペレット収納部４を着火剤などの収納部として利用することもできるので、着火作業も容易となる。
【００２２】
このように、本発明は、ペレット燃焼部３を燃焼室１から取り出さなくても燃焼室１内に薪16をくべて薪ストーブとして使用することができ、ペレットストーブの場合に比べて暖房性能を向上させることができ、更に薪ストーブ特有の効果、即ち、薪16がぱちぱちと爆ぜる音を聞きながら迫力ある炎を眺めることができる薪ストーブならではの癒しの効果をペレットストーブでも楽しむことができるようになる等、使用者の好みでペレットストーブにも薪ストーブにも容易に切り替えることができる極めて実用性に優れた画期的なペレットストーブとなる。
【実施例】
【００２３】
本発明の具体的な実施例について図面に基づいて説明する。
【００２４】
本実施例は、燃焼室１を有するストーブ本体部17と、このストーブ本体部17内に形成される燃焼室１に設けられるペレット燃焼部３と、このペレット燃焼部３に空気を供給するための空気供給部８と、ストーブ本体部17を支持する脚部26からなり、木質ペレット２を燃料とするペレットストーブにおいて、木質ペレット２だけでなく、薪16を燃料として薪ストーブとして使用することもできるように構成されたペレットストーブである。
【００２５】
以下、本実施例に係る構成各部について詳述する。
【００２６】
本実施例のストーブ本体部17は、適宜な金属部材で方形箱状に形成されており、その内部を燃焼室１とする構成とされている。
【００２７】
具体的には、本実施例のストーブ本体部17は、正面部と側面部（具体的には。本実施例では右側面部）に扉部が開閉自在に設けられており、これらを通じて燃焼室１内に木質ペレット２や薪16などの燃料を補充したり、燃焼室１内のメンテナンスが行えるよう構成されている。
【００２８】
また、正面部に設けられた正面扉部18には大径の覗き窓部18Ａが設けられており、この覗き窓部18Ａを通じて燃焼室１内で木質ペレット２や薪16の燃焼によって生成される炎を視認する（眺める）ことができるように構成されている。
【００２９】
また、このストーブ本体部17は、天部に排気用煙突20を連結するための排気筒部19が設けられている構成とされている。即ち、本実施例は、この排気筒部19に連結した排気用煙突20を介して排気を外部に排出する自然排気式の排気方式を採用した構成とされている。
【００３０】
また、このストーブ本体部17の内部に形成される燃焼室１は、底板部６に後述するペレット燃焼部３が配置される構成とされ、具体的には、底板部６の中央部に方形状の開口部９が形成されており、この開口部９にペレット燃焼部３が落とし込み配設される構成とされている。
【００３１】
即ち、本実施例の燃焼室１は、ペレット燃焼部３を底板部６の下側に落とし込み配設することで、燃焼室１内の空間を広げ、ペレット燃焼部３を燃焼室１から取り出さなくても、言い換えるとペレット燃焼部３を燃焼室１内に配置した状態のまま、燃焼室１内に薪16を投入して薪ストーブとして使用することができるように構成されている。
【００３２】
また、本実施例の燃焼室１は、この底板部６に落とし込み配設されるペレット燃焼部３の上方に位置する上部側に邪魔板14が設けられた構成とされ、ペレット燃焼部３で木質ペレット２や薪16が燃焼することで生成される火炎や燃焼熱が燃焼室１（ストーブ本体部17）を加熱する前にこの燃焼室１の外部へ直ぐに排出されることをこの邪魔板14により抑制してストーブ本体部17（燃焼室１）が効率よく加熱されるように構成されている。
【００３３】
具体的には、本実施例の邪魔板14は、燃焼室１の背面部に設けられた邪魔板支持部15に着脱交換自在に係止する構成とされている。
【００３４】
即ち、この邪魔板14は燃焼により発生する煤などで汚れたり火炎や燃焼熱によって変形するので、燃焼室１に対して着脱自在且つ取り出し自在に設けて、容易に清掃することができたり新品と交換できるように構成されている。
【００３５】
より具体的には、本実施例の邪魔板14は差込部14Ａを有し、この差込部14Ａが邪魔板支持部15の差込開口部15Ａに差し込み係止されることで邪魔板支持部15に着脱自在に支持されて、底板部６に落とし込み配設されているペレット燃焼部３の上方に設けられる構成とされている。尚、本実施例では、邪魔板固定部材を用いて、邪魔板支持部15に係止した邪魔板14の先端部をストーブ本体部17に固定している
また、この邪魔板14及び邪魔板支持部15は、邪魔板14近傍に存在する不完全燃焼ガスを二次燃焼させて完全燃焼させるための二次空気を導入するための二次空気導入路となるように構成されている。
【００３６】
具体的には、邪魔板14及び邪魔板支持部15は、空気が流通可能な中空状に形成されており、更に邪魔板14はペレット燃焼部３と対向する下側広大面部に二次空気を放出する二次空気放出孔21が多数形成されている構成とされ、また、邪魔板支持部15は外部から空気を導入するための外部空気導入孔22が設けられている構成とされている。
【００３７】
即ち、本実施例は、この外部空気導入孔22を介して邪魔板支持部15内に空気を導入し、この邪魔板支持部15内に導入された空気を燃焼により加熱され高温状態となっているこの邪魔板支持部15内で温め、この温めた空気を邪魔板14の下側広大面部に設けられた二次空気放出孔21から燃焼室１内に放出して、この放出した二次空気により邪魔板14の近傍に存在する不完全燃焼ガスを二次燃焼させる効率的な燃焼を行い、不完全燃焼による一酸化炭素の排出を可及的に抑制する構成とされている。
【００３８】
また、本実施例のストーブ本体部17は、室内の壁面に対面する背面部に遮熱板25が設けられており、この遮熱板25により燃焼室１から放出される熱で部屋の壁面などが過剰に加熱されることを防止するように構成されている。
【００３９】
また、この燃焼室１内に設けられる本実施例のペレット燃焼部３は、ペレット収納部４と、このペレット収納部４内を複数に区画する仕切り部５とからなる構成とされている。
【００４０】
具体的には、ペレット収納部４は、網状部材若しくは多孔板（本実施例では多孔板を採用）からなる上部開口型の箱状体に形成され、また、上部開口部７の周縁には、前述した燃焼室１の底板部６に形成されている開口部９の周縁部９Ａに係止する係止部10が設けられている構成とされている。
【００４１】
また、係止部10は帯板状に形成され、ペレット収納部４の上部開口部７の周縁全周に亘って水平方向に突設されてフランジ状に形成された構成とされている。
【００４２】
即ち、本実施例のペレット燃焼部３は、ペレット収納部４を燃焼室１の底板部６に形成された開口部９に落とし込み配設すると、このフランジ状の係止部10が底板部６の開口部９の周縁部９Ａに係止して、ペレット収納部４が底板部６に対して垂下状態になり、この底板部６に対して垂下状態のペレット収納部４の上部開口部７が底板部６と略面一状態となるようにして底板部６に配置される構成とされている。
【００４３】
また、このペレット燃焼部３のペレット収納部４内を複数に区画する仕切り部５は、ペレット収納部４内を前後方向に二分割する前後方向仕切り部５Ａと、ペレット収納部４内を左右方向に二分割する左右方向仕切り部５Ｂの二体の仕切り部５により構成されており、具体的には、前後方向仕切り部５Ａに対して左右方向仕切り部５Ｂが交差状（本実施例では直交状態）に設けられて十字形状に形成され、ペレット収納部４内に四つの区画ペレット収納部４Ａを区画形成するように構成されている。
【００４４】
より具体的には、本実施例の前後方向仕切り部５Ａ、左右方向仕切り部５Ｂは、いずれも網状部材若しくは多孔板（本実施例では多孔板を採用）からなる第一仕切り板部11及び第二仕切り板部12、並びにこの第一仕切り板部11と第二仕切り板部12との間に形成される空間部13からなる構成とされている。
【００４５】
更に具体的に説明すると、本実施例の前後方向仕切り部５Ａは、対向状態に配設された第一仕切り板部11と第二仕切り板部12の各上端部が逆Ｖ字状に形成された板状部材で連結されて一体化した構成とされるとともに、長手方向中央部に後述する左右方向仕切り部５Ｂを組み付けるための溝部23が形成されている構成とされ、ペレット収納部４を前後方向に二分割するようにペレット収納部４の左右側板間に固定部材（固定ネジ）により着脱自在に架設される構成とされている。
【００４６】
また、左右方向仕切り部５Ｂは、同一形状に形成された第一仕切り板部11、第二仕切り板部12とからなり、第一仕切り板部11、第二仕切り板部12の夫々が前述した前後方向仕切り部５Ａの溝部23に着脱自在に設けられる構成とされている。
【００４７】
具体的には、本実施例の左右方向仕切り部５Ｂを形成する第一仕切り板部11及び第二仕切り板部12は、方形状に形成されるとともに、下端部中央に凹状切欠部24が形成された構成とされ、この凹状切欠部24を前後方向仕切り部５Ａの溝部23に係合させるようにして差し込み係止することで、第一仕切り板部11及び第二仕切り板部12が間隔（空間部13）をおいて対向状態に配設されるとともに、前後方向仕切り部５Ａに対して交差（直交）状態に設けられる構成とされている。
【００４８】
このように、本実施例の仕切り部５は、前後方向仕切り部５Ａと左右方向仕切り部５Ｂとにより交差状（十字状）に形成され、ペレット収納部４内に４つの区画ペレット収納部４Ａを区画形成するように構成され、また、この仕切り部５により区画形成された各区画ペレット収納部４Ａは、仕切り部５の空間部13により全周方向から空気が流入可能となる構成とされている。
【００４９】
即ち、本実施例のペレット燃焼部３（ペレット収納部４）は、各区画ペレット収納部４Ａ間に設けられる空気が流入可能な空間部13を有する仕切り部５によって、ペレット収納部４内（区画ペレット収納部４Ａ内）に投入収納された木質ペレット２全体の表面積（具体的には、空気と接触する表面積）を広大化するように構成され、この木質ペレット２の表面積の広大化により良好な空気供給状態が確保され、木質ペレット２を効率よく燃焼させることができるように構成されている。
【００５０】
また、本実施例の仕切り部５、即ち、交差状に設けられた前後方向仕切り部５Ａ及び左右方向仕切り部５Ｂは、夫々ペレット収納部４の前後方向に位置する正面板及び背面板の高さとほぼ同等の高さ寸法に設定されており、この正面板及び背面板で囲まれる部分を仕切るように構成されている。
【００５１】
即ち、本実施例の仕切り部５は、ペレット収納部４内を完全に四つの区画ペレット収納部４Ａに仕切る構成とされておらず、ペレット収納部４の底部側、言い換えると各区画ペレット収納部４Ａの下側が連通状態となるようにペレット収納部４内を仕切り区画するように構成されており、よって、本実施例のペレット燃焼部３は、木質ペレット２を投入した際、ペレット収納部４内に投入収納された木質ペレット２は、上側では仕切り部５により区画形成された区画ペレット収納部４Ａごとに収納されているが、ペレット収納部４の底部側では区画されずひとかたまりの状態で収納されるように構成されている。
【００５２】
即ち、本実施例は、ペレット収納部４内に投入収納した木質ペレット２を効率よく燃焼させるためにペレット収納部４に形成された四つの区画ペレット収納部４Ａに対して二つずつ交互に木質ペレット２を投入して燃焼を継続させてゆく場合、ペレット収納部４の底部側では投入された木質ペレット２が一体となって燃焼しているので、次に木質ペレット２を新たに投入する二つの区画ペレット収納部４Ａの下側には、燃焼している木質ペレット２が存在し、この底部側の燃焼している木質ペレット２が新たに投入収納される木質ペレット２の火種となって、新たに収納された木質ペレット２が容易に（早く）着火し効率的に燃焼が継続されるように構成されている。
【００５３】
また、このペレット燃焼部３に空気を供給するための空気供給部８は、燃焼室１の下側、具体的には、底板部６に垂下するペレット燃焼部３を下方側から覆うようにストーブ本体部17（燃焼室１）に垂設されている構成とされている。
【００５４】
本実施例は、前述したように自然排気方式を採用した排気方式とされているので、この空気供給部８は、強制的に空気を取り込むためのファンなどは設けられておらず、ペレット燃焼部３内の木質ペレット２やペレット燃焼部３上に載置した薪16を燃焼（一次燃焼）させるための一次空気を取り込むための多数の空気取り入れ孔27が形成された箱状に形成され、更に、前記空気取り入れ孔27とは別に大径の空気導入口部28も設けられている構成とされている。
【００５５】
また、本実施例の空気供給部８は、空気取り入れ孔27に空気流入量を調整するためのシャッター（図示なし）が設けられた構成とされ、このシャッターの位置を調整して空気取り入れ孔27の開口度を調整することで、ペレット燃焼部３における燃焼状態を調整することができる構成とされている。尚、図中符号29は、ペレット燃焼部３から落下する灰を収納する灰収納部29である。
【００５６】
以上のように構成される本実施例の作用効果について以下に説明する。
【００５７】
本実施例は、ペレット燃焼部３を燃焼室１内にセットした際、ペレット燃焼部３のペレット収納部４が燃焼室１の底板部６の下側に落ち込んだ状態になり、ペレット燃焼部３（ペレット収納部４）の上部開口部７が底板部６と略面一状態になるので、燃焼室１にペレット燃焼部３をセットした状態でも燃焼室１内に広いスペースを確保することができる。これにより、ペレット燃焼部３を燃焼室１から取り出さなくてもこの燃焼室１内に薪16を入れてペレットストーブを薪ストーブとして使用することができる。
【００５８】
また、本実施例を薪ストーブとして使用する場合は、底板部６と略面一のペレット燃焼部３（ペレット収納部４）の上部開口部７上に薪16が載置されることとなるが、本実施例は、ペレット燃焼部３のペレット収納部４内に、このペレット収納部４を区画する仕切り部５が設けられており、この仕切り部５の上縁部が上部開口部７上に載置された薪16を支持することとなるので、燃焼が進んでも薪16が上部開口部７から下方のペレット収納部４内に落ちにくく、長時間安定して燃焼することができる。
【００５９】
しかも、上部開口部７上に載置した薪16の下方側にはペレット収納部４が設けられているので、薪16の下側に空間部が形成され、ここから十分な空気が供給されることとなり、効率的に薪16を燃焼させることができ、更に、このペレット収納部４を着火剤などの収納部として利用することもできるので、着火作業も容易となる。
【００６０】
また、本実施例は、仕切り部５が前後方向仕切り部５Ａと左右方向仕切り部５Ｂとにより交差状（十字状）に形成され、ペレット収納部４内に配置した際に、このペレット収納部４内に四つの区画ペレット収納部４Ａを区画形成するとともに、この区画形成された各区画ペレット収納部４Ａが仕切り部５の空間部13により全周方向から空気が流入可能となる構成とされているので、ペレット燃焼部３のペレット収納部４内に木質ペレット２を投入収納した際、この投入収納された木質ペレット２全体のペレット収納部４内（区画ペレット収納部４Ａ内）における表面積（具体的には、空気と接触する表面積）が広大化され、ペレット収納部４（区画ペレット収納部４Ａ）内の木質ペレット２に対して良好に空気が供給されることとなるので、ペレット収納部４（区画ペレット収納部４Ａ）内に収納されている木質ペレット２を効率よく燃焼させることができる。
【００６１】
しかも、この仕切り部５は、前後方向仕切り部５Ａと左右方向仕切り部５Ｂが分解自在に組みつけられ、且つ区画ペレット収納部４Ａに対して着脱自在に設けられているので、邪魔板14同様、燃焼により汚れたり変形しても容易に清掃や交換が可能である。
【００６２】
このように、本実施例は、燃焼効率に優れたペレットストーブであるとともに、薪ストーブとしても使用することができ、このペレットストーブから薪ストーブへの切り替えの際もペレット燃焼部３を燃焼室１から取り出さなくても燃焼室１内に薪16をくべて薪ストーブとして使用することができ、これにより、ペレットストーブでは、少し暖房能力が足りないような場合でも、薪ストーブに切り替えて暖房性能を向上させることができ、更にペレットストーブでは味わえない薪ストーブ特有の効果、即ち、薪16がぱちぱちと爆ぜる音を聞きながら迫力ある炎を眺めることができる薪ストーブならではの癒しの効果をペレットストーブでも楽しむこともできるようになる等、使用者の好みでペレットストーブにも薪ストーブにも容易に切り替えることができる極めて実用性に優れた画期的なペレットストーブとなる。
【００６３】
尚、本発明は、本実施例に限られるものではなく、各構成要件の具体的構成は適宜設計し得るものである。
【符号の説明】
【００６４】
１  燃焼室
２  木質ペレット
３  ペレット燃焼部
４  ペレット収納部
４Ａ  区画ペレット収納部
５  仕切り部
６  底板部
７  上部開口部
８  空気供給部
９  開口部
９Ａ  周縁部
10  係止部
11  第一仕切り板部
12  第二仕切り板部
13  空間部
14  邪魔板
15  邪魔板支持部
【図１】
2018076980.tif 000003
【図２】
2018076980.tif 000004
【図３】
2018076980.tif 000005
【図４】
2018076980.tif 000006
【図５】
2018076980.tif 000007
【図６】
2018076980.tif 000008
【図７】
2018076980.tif 000009
【図８】
2018076980.tif 000010
【図９】
2018076980.tif 000011
【図１０】
2018076980.tif 000012
【図１１】
2018076980.tif 000013
【図１２】
2018076980.tif 000014
【図１３】
2018076980.tif 000015
【図１４】
2018076980.tif 000016